(57)【要約】　　　（修正有）【課題】瓦を施工する前にあらかじめ残材の総量を見積もることができる瓦残材積算システムを提供する。【解決手段】コンピュータに、屋根伏せＣＡＤデータを読み込む手順と、屋根伏せ補正ＣＡＤデータを作成する手順と、屋根伏せ補正ＣＡＤデータを表示する手順と、瓦施工面補正ルールを読み出す手順と、瓦施工面ＣＡＤデータを作成する手順と、割り付けルールを読み出す手順と、瓦ＣＡＤデータを読み出す手順と、瓦ＣＡＤデータを割り付ける手順と、切断瓦番号Ｎを付与する手順と、実寸算出ルールを読み出す手順と、実寸データを算出する手順と、実寸補正ルールを読み出す手順と、実寸補正データを算出する手順と、基礎データを算出する手順と、瓦データを読み出す手順と、残材の量を算出して集計した集計値を残材の総量として出力する手順と、を実行させるための瓦残材積算プログラム。【選択図】　　　図１
2004054506.tif 000002
【特許請求の範囲】
【請求項１】
建物の屋根に施工される瓦のうち、所定範囲を切断して施工される切断瓦の切断後の実寸を算出し、切断瓦から切除される残材の量を算出するために、コンピュータに、
所定の記憶手段から屋根伏せＣＡＤデータを読み込む手順と、
入力装置から入力された屋根伏せＣＡＤデータの縮尺に基づいて屋根伏せＣＡＤデータを実寸スケールに補正し、屋根伏せ補正ＣＡＤデータを作成する手順と、
屋根伏せ補正ＣＡＤデータを表示装置の画面上に表示する手順と、
ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、
瓦施工面補正ルール及び入力装置から入力された屋根勾配に基づいて屋根伏せ補正ＣＡＤデータを補正し、瓦施工面ＣＡＤデータを作成する手順と、
ファイル装置にあらかじめ記録された割り付けルールファイルから、瓦の種類及び入力装置から入力された割り付け型に応じた割り付けルールを読み出す手順と、
ファイル装置にあらかじめ記録された瓦ＣＡＤデータファイルから瓦の種類及び割り付け型に応じた瓦ＣＡＤデータを読み出す手順と、
瓦ＣＡＤデータを割り付けルールに基づいて瓦施工面ＣＡＤデータに割り付ける手順と、
瓦施工面ＣＡＤデータの要素線と交差する切断瓦としての瓦ＣＡＤデータに割り付けルールに基づいて切断瓦番号を付与する手順と、
ファイル装置にあらかじめ記録された実寸算出ルールファイルから瓦の種類に応じた実寸算出ルールを読み出す手順と、
実寸算出ルールに基づいて各切断瓦ごとに実寸データを算出する手順と、
ファイル装置にあらかじめ記録された実寸補正ルールファイルから、瓦の種類に応じた実寸補正ルールを読み出す手順と、
実寸補正ルールに基づいて各実寸データをそれぞれ補正し、各切断瓦ごとに実寸補正データを算出する手順と、
実寸補正データに基づいて基礎データを各切断瓦ごとに算出する手順と、
ファイル装置にあらかじめ記録された瓦データファイルから切断瓦に応じた瓦データを各切断瓦ごとに読み出す手順と、
基礎データ及び瓦データに基づいて残材の量を各切断瓦ごとに算出して集計し、この集計値を残材の総量として出力する手順と、
を実行させるための瓦残材積算プログラム。
【請求項２】
建物の屋根に施工される瓦のうち、所定範囲を切断して施工される切断瓦の切断後の実寸を算出し、切断瓦から切除される残材の量を算出するために、コンピュータに、
所定の記憶手段から屋根伏せＣＡＤデータを読み込む手順と、
入力装置から入力された屋根伏せＣＡＤデータの縮尺に基づいて屋根伏せＣＡＤデータを実寸スケールに補正し、屋根伏せ補正ＣＡＤデータを作成する手順と、
屋根伏せ補正ＣＡＤデータを表示装置の画面上に表示する手順と、
ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、
瓦施工面補正ルール及び入力装置から入力された屋根勾配に基づいて屋根伏せ補正ＣＡＤデータを補正し、瓦施工面ＣＡＤデータを作成する手順と、
ファイル装置にあらかじめ記録された割り付けルールファイルから、瓦の種類及び入力装置から入力された割り付け型に応じた割り付けルールを読み出す手順と、
ファイル装置にあらかじめ記録された瓦ＣＡＤデータファイルから瓦の種類及び割り付け型に応じた瓦ＣＡＤデータを読み出す手順と、
瓦ＣＡＤデータを割り付けルールに基づいて瓦施工面ＣＡＤデータに割り付ける手順と、
瓦施工面ＣＡＤデータの要素線と交差する切断瓦としての瓦ＣＡＤデータに割り付けルールに基づいて切断瓦番号を付与する手順と、
ファイル装置にあらかじめ記録された実寸算出ルールファイルから瓦の種類に応じた実寸算出ルールを読み出す手順と、
実寸算出ルールに基づいて各切断瓦ごとに実寸データを算出する手順と、
ファイル装置にあらかじめ記録された実寸補正ルールファイルから瓦の種類に応じた実寸補正ルールを読み出す手順と、
実寸補正ルールに基づいて各実寸データをそれぞれ補正し、各切断瓦ごとに実寸補正データを算出する手順と、
実寸補正データに基づいて基礎データを各切断瓦ごとに算出する手順と、
ファイル装置にあらかじめ記録された瓦データファイルから、切断瓦及び基礎データに応じた瓦データを各切断瓦ごとに読み出す手順と、
瓦データ及び実寸補正データに基づいて残材の量を各切断瓦ごとに算出して集計し、この集計値を残材の総量として出力する手順と、
を実行させるための瓦残材積算プログラム。
【請求項３】
建物の屋根に施工される瓦のうち、所定範囲を切断して施工される切断瓦の切断後の実寸を算出し、切断瓦から切除される残材の量を算出するために、コンピュータに、
所定の記憶手段から屋根伏せＣＡＤデータを読み込む手順と、
入力装置から入力された屋根伏せＣＡＤデータの縮尺に基づいて屋根伏せＣＡＤデータを実寸スケールに補正し、屋根伏せ補正ＣＡＤデータを作成する手順と、
屋根伏せ補正ＣＡＤデータを表示装置の画面上に表示する手順と、
ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、
瓦施工面補正ルール及び入力装置から入力された屋根勾配に基づいて屋根伏せ補正ＣＡＤデータを補正し、瓦施工面ＣＡＤデータを作成する手順と、
ファイル装置にあらかじめ記録された割り付けルールファイルから、瓦の種類及び入力装置から入力された割り付け型に応じた割り付けルールを読み出す手順と、
ファイル装置にあらかじめ記録された瓦ＣＡＤデータファイルから瓦の種類及び割り付け型に応じた瓦ＣＡＤデータを読み出す手順と、
瓦ＣＡＤデータを割り付けルールに基づいて瓦施工面ＣＡＤデータに割り付ける手順と、
瓦施工面ＣＡＤデータの要素線と交差する切断瓦としての瓦ＣＡＤデータに割り付けルールに基づいて切断瓦番号を付与する手順と、
ファイル装置にあらかじめ記録された実寸算出ルールファイルから瓦の種類に応じた実寸算出ルールを読み出す手順と、
実寸算出ルールに基づいて各切断瓦ごとに実寸データを算出する手順と、
ファイル装置にあらかじめ記録された実寸補正ルールファイルから、瓦の種類に応じた実寸補正ルールを読み出す手順と、
実寸補正ルールに基づいて各実寸データをそれぞれ補正し、各切断瓦ごとに実寸補正データを算出する手順と、
ファイル装置にあらかじめ記録された３次元瓦ＣＡＤデータファイルから切断瓦に応じた３次元瓦ＣＡＤデータを各切断瓦ごとに読み出す手順と、
３次元瓦ＣＡＤデータに基づいて各実寸補正データをそれぞれ補正し、各切断瓦ごとに３次元実寸補正データを算出する手順と、
ファイル装置にあらかじめ記録された瓦データファイルから切断瓦に応じた瓦データを各切断瓦ごとに読み出す手順と、
３次元瓦ＣＡＤデータ、３次元実寸補正データ、及び瓦データに基づいて残材の量を各切断瓦ごとに算出して集計し、この集計値を残材の総量として出力する手順と、
を実行させるための瓦残材積算プログラム。
【請求項４】
コンピュータに、切断瓦を加工するための瓦切断機を制御する制御装置へ３次元実寸補正データをＣＡＭデータとして転送する手順を実行させることもできる請求項３記載の瓦残材積算プログラム。
【請求項５】
コンピュータに、残材の全量を粉砕してなる粉砕物を粒径により複数種に分別した分別粉砕物の量を残材の総量に基づいて各分別粉砕物ごとに算出する手順と、各分別粉砕物の量をそれぞれ出力する手順とを実行させることもできる請求項１乃至４のいずれか記載の瓦残材積算プログラム。
【請求項６】
コンピュータに、入力装置により施工の種類として葺き替えが選択されたときに、瓦施工面ＣＡＤデータに含まれている複数の瓦施工面の面積をそれぞれ算出して集計する手順と、ファイル装置にあらかじめ記録された元葺きデータファイルから、入力装置から入力された元葺き瓦の種類に応じた元葺きデータを読み出す手順と、元葺きデータ及び瓦施工面の総面積に基づいて元葺き量を算出する手順と、元葺き量を出力する手順とを実行させることもできる請求項１乃至５のいずれか記載の瓦残材積算プログラム。
【請求項７】
コンピュータに、残材の総量と元葺き量を加算する手順と、この加算値を残材混合物の総量として出力する手順とを実行させることもできる請求項６記載の瓦残材積算プログラム。
【請求項８】
コンピュータに、残材混合物の全量を粉砕してなる粉砕物を粒径により複数種に分別した分別粉砕物の量を残材混合物の総量に基づいて各分別粉砕物ごとに算出する手順と、各分別粉砕物の量をそれぞれ出力する手順とを実行させることもできる請求項７記載の瓦残材積算プログラム。
【請求項９】
コンピュータに、分別粉砕物から製造されるリサイクル品の量を分別粉砕物の量に基づいて各分別粉砕物ごとに算出する手順と、各リサイクル品の量をそれぞれ出力する手順とを実行させることもできる請求項５又は８記載の瓦残材積算プログラム。
【請求項１０】
請求項１乃至９のいずれか記載の瓦残材積算プログラムを記録したコンピュータ読み取り可能な記録媒体。
【請求項１１】
請求項１乃至９のいずれか記載の瓦残材積算プログラムをコンピュータのファイル装置に記録した瓦残材積算システム。
【発明の詳細な説明】
【０００１】
【発明の属する技術分野】
この発明は、建物の屋根に施工される瓦のうち、所定範囲を切断して屋根の隅棟部等に沿って施工される切断瓦の実寸（実際の寸法）を算出し、切断瓦から切除される残材の量等を算出するための瓦残材積算プログラム、該プログラムを記録したコンピュータ読み取り可能な記録媒体、及び瓦残材積算システムに関する。
【０００２】
【従来の技術】
周知のように、建物の寄棟屋根等の屋根に瓦を施工する場合、屋根の隅棟部等に施工する瓦（切断瓦）に対しては、あらかじめ所定範囲を斜め方向等に切断しておく必要がある。この切断瓦の施工部位における採寸作業や瓦の切断作業は、施工現場でその都度行われている。また、切断瓦から切除される残材は、産業廃棄物として処理されている。
【０００３】
【発明が解決しようとする課題】
しかしながら、瓦の切断作業が終了しなければ残材の総量を把握できないので、残材の処理コスト管理を行いにくいという問題点がある。
【０００４】
この発明は、以上のような問題点に鑑みてなされたものであり、瓦を施工する前にあらかじめ残材の総量を見積もることができる瓦残材積算プログラム、該プログラムを記録したコンピュータ読み取り可能な記録媒体、及び瓦残材積算システムを提供することを目的とする。
【０００５】
【課題を解決するための手段】
上記目的を達成するための請求項１の瓦残材積算プログラムは、建物の屋根に施工される瓦のうち、所定範囲を切断して施工される切断瓦の切断後の実寸を算出し、切断瓦から切除される残材の量を算出するために、コンピュータに、所定の記憶手段から屋根伏せＣＡＤデータを読み込む手順と、入力装置から入力された屋根伏せＣＡＤデータの縮尺に基づいて屋根伏せＣＡＤデータを実寸スケールに補正し、屋根伏せ補正ＣＡＤデータを作成する手順と、屋根伏せ補正ＣＡＤデータを表示装置の画面上に表示する手順と、ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、瓦施工面補正ルール及び入力装置から入力された屋根勾配に基づいて屋根伏せ補正ＣＡＤデータを補正し、瓦施工面ＣＡＤデータを作成する手順と、ファイル装置にあらかじめ記録された割り付けルールファイルから、瓦の種類及び入力装置から入力された割り付け型に応じた割り付けルールを読み出す手順と、ファイル装置にあらかじめ記録された瓦ＣＡＤデータファイルから瓦の種類及び割り付け型に応じた瓦ＣＡＤデータを読み出す手順と、瓦ＣＡＤデータを割り付けルールに基づいて瓦施工面ＣＡＤデータに割り付ける手順と、瓦施工面ＣＡＤデータの要素線と交差する切断瓦としての瓦ＣＡＤデータに割り付けルールに基づいて切断瓦番号を付与する手順と、ファイル装置にあらかじめ記録された実寸算出ルールファイルから瓦の種類に応じた実寸算出ルールを読み出す手順と、実寸算出ルールに基づいて各切断瓦ごとに実寸データを算出する手順と、ファイル装置にあらかじめ記録された実寸補正ルールファイルから、瓦の種類に応じた実寸補正ルールを読み出す手順と、実寸補正ルールに基づいて各実寸データをそれぞれ補正し、各切断瓦ごとに実寸補正データを算出する手順と、実寸補正データに基づいて基礎データを各切断瓦ごとに算出する手順と、ファイル装置にあらかじめ記録された瓦データファイルから切断瓦に応じた瓦データを各切断瓦ごとに読み出す手順と、基礎データ及び瓦データに基づいて残材の量を各切断瓦ごとに算出して集計し、この集計値を残材の総量として出力する手順と、を実行させるためのものである。
【０００６】
請求項２の瓦残材積算プログラムは、建物の屋根に施工される瓦のうち、所定範囲を切断して施工される切断瓦の切断後の実寸を算出し、切断瓦から切除される残材の量を算出するために、コンピュータに、所定の記憶手段から屋根伏せＣＡＤデータを読み込む手順と、入力装置から入力された屋根伏せＣＡＤデータの縮尺に基づいて屋根伏せＣＡＤデータを実寸スケールに補正し、屋根伏せ補正ＣＡＤデータを作成する手順と、屋根伏せ補正ＣＡＤデータを表示装置の画面上に表示する手順と、ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、瓦施工面補正ルール及び入力装置から入力された屋根勾配に基づいて屋根伏せ補正ＣＡＤデータを補正し、瓦施工面ＣＡＤデータを作成する手順と、ファイル装置にあらかじめ記録された割り付けルールファイルから、瓦の種類及び入力装置から入力された割り付け型に応じた割り付けルールを読み出す手順と、ファイル装置にあらかじめ記録された瓦ＣＡＤデータファイルから瓦の種類及び割り付け型に応じた瓦ＣＡＤデータを読み出す手順と、瓦ＣＡＤデータを割り付けルールに基づいて瓦施工面ＣＡＤデータに割り付ける手順と、瓦施工面ＣＡＤデータの要素線と交差する切断瓦としての瓦ＣＡＤデータに割り付けルールに基づいて切断瓦番号を付与する手順と、ファイル装置にあらかじめ記録された実寸算出ルールファイルから瓦の種類に応じた実寸算出ルールを読み出す手順と、実寸算出ルールに基づいて各切断瓦ごとに実寸データを算出する手順と、ファイル装置にあらかじめ記録された実寸補正ルールファイルから瓦の種類に応じた実寸補正ルールを読み出す手順と、実寸補正ルールに基づいて各実寸データをそれぞれ補正し、各切断瓦ごとに実寸補正データを算出する手順と、実寸補正データに基づいて基礎データを各切断瓦ごとに算出する手順と、ファイル装置にあらかじめ記録された瓦データファイルから、切断瓦及び基礎データに応じた瓦データを各切断瓦ごとに読み出す手順と、瓦データ及び実寸補正データに基づいて残材の量を各切断瓦ごとに算出して集計し、この集計値を残材の総量として出力する手順と、を実行させるためのものである。
【０００７】
請求項３の瓦残材積算プログラムは、建物の屋根に施工される瓦のうち、所定範囲を切断して施工される切断瓦の切断後の実寸を算出し、切断瓦から切除される残材の量を算出するために、コンピュータに、所定の記憶手段から屋根伏せＣＡＤデータを読み込む手順と、入力装置から入力された屋根伏せＣＡＤデータの縮尺に基づいて屋根伏せＣＡＤデータを実寸スケールに補正し、屋根伏せ補正ＣＡＤデータを作成する手順と、屋根伏せ補正ＣＡＤデータを表示装置の画面上に表示する手順と、ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、瓦施工面補正ルール及び入力装置から入力された屋根勾配に基づいて屋根伏せ補正ＣＡＤデータを補正し、瓦施工面ＣＡＤデータを作成する手順と、ファイル装置にあらかじめ記録された割り付けルールファイルから、瓦の種類及び入力装置から入力された割り付け型に応じた割り付けルールを読み出す手順と、ファイル装置にあらかじめ記録された瓦ＣＡＤデータファイルから瓦の種類及び割り付け型に応じた瓦ＣＡＤデータを読み出す手順と、瓦ＣＡＤデータを割り付けルールに基づいて瓦施工面ＣＡＤデータに割り付ける手順と、瓦施工面ＣＡＤデータの要素線と交差する切断瓦としての瓦ＣＡＤデータに割り付けルールに基づいて切断瓦番号を付与する手順と、ファイル装置にあらかじめ記録された実寸算出ルールファイルから瓦の種類に応じた実寸算出ルールを読み出す手順と、実寸算出ルールに基づいて各切断瓦ごとに実寸データを算出する手順と、ファイル装置にあらかじめ記録された実寸補正ルールファイルから、瓦の種類に応じた実寸補正ルールを読み出す手順と、実寸補正ルールに基づいて各実寸データをそれぞれ補正し、各切断瓦ごとに実寸補正データを算出する手順と、ファイル装置にあらかじめ記録された３次元瓦ＣＡＤデータファイルから切断瓦に応じた３次元瓦ＣＡＤデータを各切断瓦ごとに読み出す手順と、３次元瓦ＣＡＤデータに基づいて各実寸補正データをそれぞれ補正し、各切断瓦ごとに３次元実寸補正データを算出する手順と、ファイル装置にあらかじめ記録された瓦データファイルから切断瓦に応じた瓦データを各切断瓦ごとに読み出す手順と、３次元瓦ＣＡＤデータ、３次元実寸補正データ、及び瓦データに基づいて残材の量を各切断瓦ごとに算出して集計し、この集計値を残材の総量として出力する手順と、を実行させるためのものである。
【０００８】
請求項４の瓦残材積算プログラムにおいては、コンピュータに、切断瓦を加工するための瓦切断機を制御する制御装置へ３次元実寸補正データをＣＡＭデータとして転送する手順を実行させることもできる。
【０００９】
請求項５の瓦残材積算プログラムにおいては、コンピュータに、残材の全量を粉砕してなる粉砕物を粒径により複数種に分別した分別粉砕物の量を残材の総量に基づいて各分別粉砕物ごとに算出する手順と、各分別粉砕物の量をそれぞれ出力する手順とを実行させることもできる。
【００１０】
請求項６の瓦残材積算プログラムにおいては、コンピュータに、入力装置により施工の種類として葺き替えが選択されたときに、瓦施工面ＣＡＤデータに含まれている複数の瓦施工面の面積をそれぞれ算出して集計する手順と、ファイル装置にあらかじめ記録された元葺きデータファイルから、入力装置から入力された元葺き瓦の種類に応じた元葺きデータを読み出す手順と、元葺きデータ及び瓦施工面の総面積に基づいて元葺き量を算出する手順と、元葺き量を出力する手順とを実行させることもできる。
【００１１】
請求項７の瓦残材積算プログラムにおいては、コンピュータに、残材の総量と元葺き量を加算する手順と、この加算値を残材混合物の総量として出力する手順とを実行させることもできる。
【００１２】
請求項８の瓦残材積算プログラムにおいては、コンピュータに、残材混合物の全量を粉砕してなる粉砕物を粒径により複数種に分別した分別粉砕物の量を残材混合物の総量に基づいて各分別粉砕物ごとに算出する手順と、各分別粉砕物の量をそれぞれ出力する手順とを実行させることもできる。
【００１３】
請求項９の瓦残材積算プログラムにおいては、コンピュータに、分別粉砕物から製造されるリサイクル品の量を分別粉砕物の量に基づいて各分別粉砕物ごとに算出する手順と、各リサイクル品の量をそれぞれ出力する手順とを実行させることもできる。
【００１４】
また、請求項１０のコンピュータ読み取り可能な記録媒体は、請求項１乃至９のいずれか記載の瓦残材積算プログラムを記録したものである。
【００１５】
更に、瓦残材積算システムは、請求項１乃至９のいずれか記載の瓦残材積算プログラムをコンピュータのファイル装置に記録したものである。
【００１６】
【発明の実施の形態】
以下、この発明の実施形態を図面に基づいて説明する。
図１に示すように、この実施形態に係る瓦残材積算システムは、瓦残材積算プログラム１をコンピュータのファイル装置２に記録（インストール）したものである。
【００１７】
コンピュータは、ハードディスクドライブ等のファイル装置２の他、ＣＰＵ（Ｃｅｎｔｒａｌ　Ｐｒｏｃｅｓｓｉｎｇ　Ｕｎｉｔ，中央処理装置）３、メインメモリ４、キーボードやマウス等の入力装置５、及びディスプレイ等の表示装置６等を備えており、これらＣＰＵ３等はコンピュータのシステムバス７にそれぞれ接続されている。また、システムバス７には、必要に応じて、レーザープリンタやインクジェットプリンタ等の印刷装置８や、切断瓦を加工するための瓦切断機を制御する制御装置（図示せず）も接続されている。なお、制御装置は、ＲＳ−２３２Ｃケーブル等の通信ケーブル及びインターフェイスを介してシステムバス７と接続することができる。
【００１８】
瓦残材積算プログラム（ソフトウェア）１は、制御プログラム９、瓦施工面補正ルールファイル１０、割り付けルールファイル１１、瓦ＣＡＤデータファイル１２、実寸算出ルールファイル１３、実寸補正ルールファイル１４、瓦データファイル１５Ｄ等を備えており、ファイル装置２にあらかじめ記録されている。この瓦残材積算プログラム１をコンピュータ上で起動させれば、制御プログラム９がメインメモリ４上に読み込まれ、この制御プログラム９の指令によってＣＰＵ３が各ファイル１０，１１，１２，１３，１４，１５Ｄ等から適用すべきルールやデータを検索し、メインメモリ４上に読み出す等して各種の処理を実行するようになっている。
【００１９】
瓦残材積算プログラム１による処理を詳細に説明する前に、まず、図２及び図３のようなＦ形瓦（瓦）１５を例にとり、瓦を実際に建物の屋根１６に施工する場合の施工例について説明する。
【００２０】
Ｆ形瓦１５は、平面視が四角形の本体部１７と、この本体部１７の左側の側端に突設された平面視が長方形のアンダーラップ部１８とから構成されている。このようなＦ形瓦１５は、図４乃至図６に示すように、屋根１６の下方側かつ右側から順に千鳥状（一文字葺）に施工されるのが一般的である。横方向においては、本体部１７が互いに隣接するように配置される。上下方向においては、下段のＦ形瓦１５の上端にその上段のＦ形瓦１５の下端が数十ｍｍの重ね代をとって重ねるように載置される。最下段のＦ形瓦１５の下端は、野地板１９上にアスファルトルーフィング２０を介して長手方向が水平となるように固定された瓦座（図示せず）等の上に載置される。
【００２１】
図３及び図５に示すように、Ｆ形瓦１５の上端には下方へ突出する例えば２つのフック部２１が突設されているが、このＦ形瓦１５は、野地板１９上にアスファルトルーフィング２０を介して長手方向が水平となるように固定された瓦桟２２にフック部２１を引掛けるようにして配置され、緊結用釘２３等により瓦桟２２に固着される。Ｆ形瓦１５の野地板１９の面方向に対する葺き勾配θは、５°程度が一般的である。また、図６に示すように、屋根１６の隅棟部１６ａ等においては、Ｆ形瓦１５のうち、所定範囲を斜め方向等に切断して残材を切除した後の切断瓦１５ｂが施工される。隅棟部１６ａ等には、取付け桟木２４を介して隅棟瓦２５等が施工される。なお、Ｊ形瓦やＳ形瓦等においては、下段と上段の瓦の配置が左右にずれない桟瓦葺等となるのが一般的である。また、瓦桟２２を長手方向が水平となるように固定する上記のような一般の工法（いわゆる横桟工法）による場合に加え、瓦桟２２を長手方向が屋根勾配の向きに沿うように固定するいわゆる縦桟工法や、あるいは瓦桟２２を使用しない直葺により瓦を施工する場合もある。
【００２２】
瓦残材積算プログラム１は、上記のような瓦の施工に際しての割り付けをあらかじめコンピュータ上で仮想的に実行し、切断瓦の切断後の実寸を算出し、切断瓦から切除される残材の量を算出するものである。なお、割り付ける瓦の種類としては、例えばＦ形瓦１５、Ｊ形瓦、Ｓ形瓦等の粘土瓦の他、各種の厚形スレート、金属板瓦等が挙げられる。また、割り付ける瓦の形状による種類としては、桟瓦の他、例えば軒瓦、袖瓦、角瓦、掛瓦等が挙げられる。
【００２３】
次に、瓦残材積算プログラム１による処理の手順例を図７乃至図９のフローチャートに基づいてより詳細に説明する。
【００２４】
まず、所定の記憶手段（図示せず）から、ＤＸＦ（Ｄｒａｗｉｎｇ　Ｉｎｔｅｒｃｈａｎｇｅ　Ｆｉｌｅ）形式等のＣＡＤソフト用のファイル形式でこの記憶手段に記録されていた屋根伏せＣＡＤデータがメインメモリ４上に読み込まれる（ステップＳ１）。
【００２５】
屋根伏せＣＡＤデータが記録された記憶手段としては、例えば、ＦＤ（Ｆｌｅｘｉｂｌｅ　Ｄｉｓｋ）、ＣＤ−ＲＯＭ（Ｃｏｍｐａｃｔ　Ｄｉｓｃ　Ｒｅａｄ　Ｏｎｌｙ　Ｍｅｍｏｒｙ）、ＣＤ−Ｒ（Ｃｏｍｐａｃｔ　Ｄｉｓｃ　Ｒｅｃｏｒｄａｂｌｅ）、ＣＤ−ＲＷ（Ｃｏｍｐａｃｔ　Ｄｉｓｃ　Ｒｅｗｒｉｔａｂｌｅ）、ＭＯ（Ｍａｇｎｅｔｏ　Ｏｐｔｉｃａｌ　Ｄｉｓｋ）等のコンピュータ読み取り可能な記録媒体の他、瓦残材積算システムのコンピュータがＬＡＮ（Ｌｏｃａｌ　Ａｒｅａ　Ｎｅｔｗｏｒｋ）やインターネット等のネットワークを介してアクセス可能な他のコンピュータのハードディスクドライブ（ネットワークドライブ）等が挙げられる。
【００２６】
屋根伏せＣＡＤデータは、瓦を施工しようとする建物の屋根１６の平面図に相当する屋根伏せ図を表すものであり、所定の縮尺で描画された複数の要素線（線分データ）を含んでいる。
【００２７】
次いで、キーボード又はマウス等の入力装置５から、屋根伏せＣＡＤデータの縮尺が入力される（ステップＳ２）。
【００２８】
入力は、キーボード等から例えば「１：１００」又は「１／１００」、「１：３０」又は「１／３０」、「１：１」又は「１／１」等と打ち込むことにより実行してもよいが、ＧＵＩ（Ｇｒａｐｈｉｃａｌ　Ｕｓｅｒ　Ｉｎｔｅｒｆａｃｅ）環境における表示装置６の画面６ａ上のメニューバー（ツールバー）やマウスの右ボタン（右クリック）等のプルダウンメニュー等に割り当てられた縮尺の上記のような種類をマウス等により選択できるようにしておけば、簡単に実行できる。
【００２９】
その後、制御プログラム９の指令を受けたＣＰＵ３により、メインメモリ４上で屋根伏せＣＡＤデータの縮尺に基づいて屋根伏せＣＡＤデータが実寸スケール（１：１の実物大スケール）に補正され、図１０のような屋根伏せ補正ＣＡＤデータ３１が作成されて（ステップＳ３）、表面装置６の画面６ａ上に表示される（ステップＳ４）。
【００３０】
例えば、図１０のような寄棟屋根の場合、屋根伏せ補正ＣＡＤデータ３１には、要素線として、１つの陸棟線３２と４つの隅棟線３３と４つの軒瓦線３４とが含まれる。なお、屋根１６の形状としては、寄棟の他、例えば切妻、方形、入母屋等が挙げられる。要素線の種類は特に限定されるものではなく、その他に谷線、右袖瓦線、左袖瓦線、掛瓦線、降棟線、水平壁際線、流れ壁際線、渡根丸線（利根丸線）、風切り丸線等が挙げられる。また、要素線は、直線状の他、曲線状であってもよい。
【００３１】
次いで、マウス等の入力装置５から、各要素線ごとにその種類が指定される（ステップＳ５）。
【００３２】
図１０の例においては、陸棟線（要素線）３２は陸棟線として、隅棟線（要素線）３３は隅棟線として、軒瓦線（要素線）３４は軒瓦線として、それぞれ要素線の種類が指定される。指定は、例えば、マウス等により画面６ａ上の適宜の要素線を選択した後又は選択する前に、ＧＵＩ環境における画面６ａ上のメニューバー（ツールバー）やマウスの右ボタン（右クリック）等のプルダウンメニュー等に割り当てられた要素線の種類をマウス等により選択できるようにしておけば、簡単に実行できる。この場合、プルダウンメニュー等には、例えば「陸棟線」、「隅棟線」、「軒瓦線」等の各種の要素線の種類を割り当てることができる。また、屋根面が凸面となった照り（てり）や凹面となった起り（むくり）である場合に対応するために、例えば「隅棟線（照り）」や「隅棟線（起り）」等の種類も指定できるようにしておくのが望ましい。この場合、照りや起りの曲率半径（Ｒ）を加味した例えば「隅棟線（照り：Ｒ＝ＸＸＸＸＸ）」や「隅棟線（起り：Ｒ＝ＸＸＸＸＸ）」等の種類を曲率半径の値に応じて選択できるようにすることもできる。
【００３３】
その後、キーボード又はマウス等の入力装置５から、瓦の種類、屋根勾配、割り付け型が入力される（ステップＳ６〜Ｓ８）。なお、瓦の種類等の入力の順序は特に限定されるものではなく、また、これら瓦の種類等の入力を各要素線ごとの種類の指定（ステップＳ５）の前に実行することもできる。
【００３４】
この場合も、ＧＵＩ環境におけるプルダウンメニュー等に割り当てられた瓦の種類等をマウス等により選択できるようにしておけば、簡単に入力できる。プルダウンメニュー等に割り当てる瓦の種類としては、例えば「Ｆ形瓦」、「Ｊ形瓦」、「Ｓ形瓦」等が挙げられる。同様に、屋根勾配としては、例えば「４／１０」、「３．５／１０」、「３／１０」、「２．５／１０」、「１／１０」等が挙げられる。割り付け型としては、例えば、軒瓦線３４の中点３４ａから最下段の瓦を左右に配置していくいわゆる「対称型」や、軒瓦線３４の中点３４ａに最下段の瓦の中心線等が重なるように配置するいわゆる「中央型」、袖瓦線（図示せず）から最下段の瓦を配置していくいわゆる「切妻型」等が挙げられる。
【００３５】
次いで、制御プログラム９の指令を受けたＣＰＵ３により瓦施工面補正ルールファイル１０が検索され、この瓦施工面補正ルールファイル１０から、要素線の組合せ及び瓦の種類に応じた瓦施工面補正ルールがメインメモリ４上に読み出される（ステップＳ９）。
【００３６】
瓦施工面補正ルールファイル１０は、各種の瓦施工面補正ルールが要素線の組合せ及び瓦の種類に対応付けて記録されている。例えば、図１０の例において、瓦の種類として「Ｆ形瓦」を入力すれば、要素線の組合せが「１つの陸棟線３２，４つの隅棟線３３，４つの軒瓦線３４」でありかつ瓦の種類が「Ｆ形瓦」である場合、即ち、寄棟屋根にＦ形瓦１５を施工する場合に対応付けられた瓦施工面補正ルールが読み出される。
【００３７】
その後、制御プログラム９の指令を受けたＣＰＵ３により瓦施工面補正ルール及び屋根勾配に基づいて屋根伏せ補正ＣＡＤデータ３１が補正され、メインメモリ４上に図１１のような瓦施工面ＣＡＤデータ３５が作成される（ステップＳ１０）。
【００３８】
瓦施工面ＣＡＤデータ３５は、瓦施工面補正ルールに基づいて屋根伏せ補正ＣＡＤデータ３１から補正された複数の野地板面１９ａ，１９ｂを含む屋根１６の展開図を、更に瓦施工面補正ルールに基づいて瓦の施工後の投影面である複数の瓦施工面３６ａ，３６ｂを含む展開図に補正したものである。例えば、図１０の例においては、まず、屋根伏せ補正ＣＡＤデータ３１が瓦施工面補正ルールに基づいて図１１のような台形の２つの野地板面１９ａと三角形の２つの野地板面１９ｂを含むように補正される。適用される瓦施工面補正ルールには、屋根勾配に基づいて展開図が作成されるように補正を行う計算式等が含まれている。次いで、瓦施工面補正ルールに基づいて各野地板面１９ａ，１９ｂの高さに「Ｆ形瓦」の軒の出寸法Ｅを加算するように補正され、台形の２つの瓦施工面３６ａと三角形の２つの瓦施工面３６ｂを含む瓦施工面ＣＡＤデータ３５が作成される。台形の瓦施工面３６ａは、１つの陸棟線３２と２つの隅棟線３３と１つの軒瓦線３４とを含んでいる。三角形の瓦施工面３６ｂは、２つの隅棟線３３と１つの軒瓦線３４とを含んでいる。
【００３９】
既述したように、瓦施工面補正ルールは要素線の組合せ及び瓦の種類に応じて適用されるので、屋根伏せ補正ＣＡＤデータ３１が例えば右袖瓦線や左袖瓦線を含んでいる場合においては、瓦の袖の出寸法（右袖瓦線等の元の位置からの突出長さ）を横幅に加算等するように補正される。同様に、谷線を含んでいる場合においては、瓦の谷の入り寸法（谷線の元の位置からの横方向への引き込み長さ）を横幅から減算等するように補正される。陸棟線３２を含んでおり、他の瓦の種類を入力した場合等においては、瓦の陸棟の入り寸法（陸棟線３２の元の位置からの縦方向への引き込み長さ）を高さから減算等するように補正される。隅棟線３３を含んでおり、他の瓦の種類を入力した場合等においては、瓦の隅棟の入り寸法（隅棟線３３の元の位置からの横方向への引き込み長さ）を横幅から減算等するように補正される。水平壁際線を含んでおり、他の瓦の種類を入力した場合等においては、瓦の水平壁際の入り寸法（水平壁際線の元の位置からの縦方向への引き込み長さ）を高さから減算等するように補正される。流れ壁際線を含んでおり、他の瓦の種類を入力した場合等においては、瓦の流れ壁際の入り寸法（流れ壁際線の元の位置からの横方向への引き込み長さ）を横幅から減算等するように補正される。渡根丸線を含んでおり、他の瓦の種類を入力した場合等においては、瓦の渡根丸の入り寸法（渡根丸線の元の位置からの横方向への引き込み長さ）を横幅から減算等するように補正される。
【００４０】
なお、軒の出寸法Ｅ等は瓦の種類によっても相違するが、瓦の種類にも応じた瓦施工面補正ルールが適用されるので、適正に瓦施工面ＣＡＤデータ３５に補正される。また、瓦施工面ＣＡＤデータ３５への補正は、実寸スケールのまま実行される。
【００４１】
要素線の種類として既述の「隅棟線（照り：Ｒ＝ＸＸＸＸＸ）」又は「隅棟線（起り：Ｒ＝ＸＸＸＸＸ）」等を指定した場合、即ち、屋根面が照り又は起りである場合は、照り又は起りの曲率半径（Ｒ）に基づいても補正される。
【００４２】
また、作成された瓦施工面ＣＡＤデータ３５は、制御プログラム９の指令を受けたＣＰＵ３により、この段階で表示装置６や印刷装置８に出力することもできる。この場合、図１１のような２次元の展開面に加え、屋根１６の立体形状を容易に把握できるように、３次元の立体図として出力することもできる。
【００４３】
次いで、制御プログラム９の指令を受けたＣＰＵ３により割り付けルールファイル１１が検索され、この割り付けルールファイル１１から、瓦の種類及び割り付け型に応じた割り付けルールがメインメモリ４上に読み出される（ステップＳ１１）。
【００４４】
割り付けルールファイル１１は、各種の割り付けルールが瓦の種類及び割り付け型に対応付けて記録されている。例えば、瓦の種類が「Ｆ形瓦」でありかつ割り付け型が既述の「対称型」である場合、即ち、軒瓦線３４の中点３４ａから最下段のＦ形瓦１５を左右に配置していく場合に対応付けられた割り付けルールが読み出される。割り付けルールには、瓦の種類及び割り付け型に応じ、所定の形状の瓦（桟瓦、軒瓦、袖瓦、角瓦、掛瓦等）を所定の部位に所定の重ね代をとって所定の葺き方で配置するように実行させる指令や計算式等が含まれている。例えば、袖瓦線に沿って袖瓦を配置したり、軒瓦線に沿って軒瓦を配置したり、その他の部位に桟瓦を配置したりするように実行させる。
【００４５】
また、制御プログラム９の指令を受けたＣＰＵ３により瓦ＣＡＤデータファイル１２が検索され、この瓦ＣＡＤデータファイル１２から、瓦の種類及び割り付け型に応じた瓦ＣＡＤデータがメインメモリ４上に読み出される（ステップＳ１２）。
【００４６】
瓦ＣＡＤデータファイル１２は、実寸スケールで描画された各種の瓦ＣＡＤデータが瓦の種類及び割り付け型に対応付けて記録されている。例えば、瓦の種類が「Ｆ形瓦」でありかつ割り付け型が「対称型」である場合は、図１２のような瓦ＣＡＤデータ３７が読み出される。この瓦ＣＡＤデータ３７は、既述の本体部１７とアンダーラップ部１８とを含むＦ形瓦１５の平面図を表すものであり、実寸スケールで作成されている。なお、瓦ＣＡＤデータ３７のうち、本体部１８の所定範囲は、表面に露出する働き面３７ａとなる。また、「Ｆ形瓦」でも他の割り付け型である場合や、瓦の種類が「Ｆ形瓦」以外である場合等においては、桟瓦としての瓦ＣＡＤデータ３７に加え、軒瓦、袖瓦、角瓦、又は掛瓦等としての瓦ＣＡＤデータが読み出されることもある。
【００４７】
その後、制御プログラム９の指令を受けたＣＰＵ３により、図１３及び図１４に示すように、瓦ＣＡＤデータ３７（図１３及び図１４では働き面３７ａのみを示している。）が割り付けルールに基づいてメインメモリ４上の瓦施工面ＣＡＤデータ３５に割り付けられる（ステップＳ１３）。
【００４８】
例えば、図１３及び図１４の例においては、瓦の種類が「Ｆ形瓦」でありかつ割り付け型が「対称型」である場合に応じて読み出された割り付けルールに基づいて瓦ＣＡＤデータ３７が割り付けられている。この例においては、瓦の形状による種類として、全て「Ｆ形瓦」の「桟瓦」に対応した瓦ＣＡＤデータ３７が割り付けられている。割り付けルールには、既述した実際の施工例と同様の配置状態となるような指令や計算式等が含まれている。
【００４９】
なお、上記と同様、制御プログラム９の指令を受けたＣＰＵ３により、割り付けた状態の瓦施工面ＣＡＤデータ３５及び瓦ＣＡＤデータ３７をこの段階で表示装置６や印刷装置８に出力することもできる。
【００５０】
次いで、制御プログラム９の指令を受けたＣＰＵ３により、図１５乃至図１７に示すように、要素線と交差する、切断前の切断瓦１５ａとしての瓦ＣＡＤデータ３７（図１５乃至図１７では働き面３７ａのみを示している。）にメインメモリ４上で切断瓦番号Ｎが付与される（ステップＳ１４）。
【００５１】
例えば、図１５乃至図１７の例においては、瓦の種類が「Ｆ形瓦」でありかつ割り付け型が「対称型」である場合に応じて読み出された割り付けルールに基づいて、例えば隅棟線３３や陸棟線３２と交差する瓦ＣＡＤデータ３７に「１」、「２」、「３」等の切断瓦番号Ｎが付与される。割り付けルールには、切断瓦番号Ｎを所定の順序で付与するための指令や計算式等が含まれている。
【００５２】
なお、上記と同様、制御プログラム９の指令を受けたＣＰＵ３により、切断瓦番号Ｎを付与した状態の瓦施工面ＣＡＤデータ３５及び瓦ＣＡＤデータ３７を切断瓦番号Ｎと共にこの段階で表示装置６や印刷装置８に出力することもできる。この場合、各切断瓦番号Ｎは、円３８により包囲したいわゆるバルーンナンバーとして出力してもよいし、あるいは、切断瓦番号Ｎ又はバルーンナンバーを各瓦ＣＡＤデータ３７から引出線によりそれぞれ引き出した状態で出力してもよい。
【００５３】
その後、制御プログラム９の指令を受けたＣＰＵ３により実寸算出ルールファイル１３が検索され、この実寸算出ルールファイル１３から、瓦の種類に応じた実寸算出ルールがメインメモリ４上に読み出される（ステップＳ１５）。
【００５４】
次いで、制御プログラム９の指令を受けたＣＰＵ３により、図１８乃至図２３に示すように、切断瓦１５ａの切断後の実寸データ（必要材１５ｂの実寸データ）が各切断瓦１５ａごとに算出される（ステップＳ１６）。なお、屋根１６には、切断瓦１５ａから残材１５ｃを切除した必要材１５ｂが施工される。
【００５５】
実寸算出ルールファイル１３は、各種の実寸算出ルールが瓦の種類に対応付けて記録されている。例えば、瓦の種類が「Ｆ形瓦」である場合、実寸算出ルールには、本体部１７における隅棟線３３や陸棟線３２の下側の部分の「上辺寸法」Ａ、「下辺寸法」Ｂ、「左辺寸法」Ｃ、「右辺寸法」Ｄ、隅棟線３３が瓦ＣＡＤデータ３７のうちのアンダーラップ部１８のみと交差する場合のアンダーラップ部１８における隅棟線３３や陸棟線３２の下側の部分の上辺寸法（「Ｕ上辺寸法」）、下辺寸法（「Ｕ下辺寸法」）ＵＢ、左辺寸法（「Ｕ左辺寸法」）ＵＣ等を採寸するように実行させる指令や計算式等が含まれている。
【００５６】
ここで、ＣＰＵ３に、制御プログラム９の指令を受けて、下辺寸法Ｂ等の切断瓦１５ａの切断後の実寸データ（必要材１５ｂの実寸データ）があらかじめ設定（相対値又は絶対値による設定）していた設定値以下の場合はその切断瓦１５ａの切断瓦番号Ｎを削除する手順と、各切断瓦１５ａの切断瓦番号Ｎをリナンバする手順とを実行させるように構成すれば、実際の施工時には使用しない切断瓦１５ａについての実寸データの算出を防止できるという利点がある。
【００５７】
その後、制御プログラム９の指令を受けたＣＰＵ３により実寸補正ルールファイル１４が検索され、この実寸補正ルールファイル１４から、瓦の種類に応じた実寸補正ルールがメインメモリ４上に読み出される（ステップＳ１７）。
【００５８】
実寸補正ルールファイル１４は、各種の実寸補正ルールが瓦の種類に対応付けて記録されている。例えば、瓦の種類が「Ｆ形瓦」である場合、実寸補正ルールには、既述のＦ形瓦１５の葺き勾配θに基づいて実寸データの補正を行う計算式等が含まれている。
【００５９】
次いで、制御プログラム９の指令を受けたＣＰＵ３により、実寸補正ルールに基づいて各実寸データがそれぞれ補正され、各切断瓦１５ａごとに実寸補正データが算出される（ステップＳ１８）。
【００６０】
ここで、図８に示すように、必要に応じて、制御プログラム９の指令を受けたＣＰＵ３に、実寸補正データを切断瓦１５ａに対応付けて図２４のような瓦屋根積算データテーブルを作成する手順（ステップＳ１９）と、瓦屋根積算データテーブルを表示装置６や印刷装置８に出力する手順（ステップＳ２０）とを実行させるように構成すれば、切断瓦１５ａの切断後の実寸（必要材１５ｂの実寸）を把握し易いという利点がある。
【００６１】
また、制御プログラム９の指令を受けたＣＰＵ３に、切断瓦番号Ｎが付与された瓦ＣＡＤデータ３７の瓦施工面ＣＡＤデータ３５上の位置を計測する手順と、この位置を切断瓦１５ａの施工部位として切断瓦１５ａに対応付けて瓦屋根積算データテーブルに格納する手順とを実行させるように構成すれば、瓦屋根積算データテーブルの出力により切断瓦１５ａの施工部位を簡単に把握することもできる。
【００６２】
切断瓦１５ａの施工部位としては、図２４に示すように、例えば「台形１段左」、「台形２段左」、「台形２１段左」、「台形２１段中」、「台形１段右」等が挙げられる。これらは既述の例に対応したものであり、それぞれ切断瓦番号Ｎが「１」、「２」、「４」、「３９」、「４０」、「８６」の切断瓦１５ａに対応している。
【００６３】
この場合、ＣＰＵ３に、制御プログラム９の指令を受けて、切断瓦番号Ｎが付与された瓦ＣＡＤデータ３７の形状による種類を切断瓦１５ａに対応付けて瓦屋根積算データテーブルに格納する手順を実行させるように構成すれば、瓦屋根積算データテーブルの出力により切断瓦１５ａの形状による種類を簡単に把握できる。
【００６４】
切断瓦１５ａの形状による種類としては、図２４に示す「桟瓦」の他、例えば「軒瓦」、「袖瓦」、「角瓦」、「掛瓦」等が挙げられる。
【００６５】
その後、図９に示すように、制御プログラム９の指令を受けたＣＰＵ３により、実寸補正データに基づいて基礎データが算出される（ステップＳ２１）。
【００６６】
基礎データとしては、例えば切断瓦１５ａの切断後の投影面積（必要材１５ｂの投影面積）等が挙げられる。制御プログラムには、実寸補正データに基づいて切断瓦１５ａの切断後の投影面積等を算出する計算式等が含まれている。
【００６７】
次いで、制御プログラム９の指令を受けたＣＰＵ３により瓦データファイルが検索され、この瓦データファイルから、切断瓦１５ａに応じた瓦データが各切断瓦１５ａごとにメインメモリ上に読み出される（ステップＳ２２）。
【００６８】
瓦データには、例えば切断前の切断瓦１５ａの初期投影面積の他、初期重量又は初期体積等が含まれている。瓦データファイルは、瓦データが切断瓦１５ａに対応付けてファイル装置に記録されている。
【００６９】
その後、制御プログラム９の指令を受けたＣＰＵ３により、基礎データ及び瓦データに基づいて残材１５ｃの量が各切断瓦１５ａごとに算出されて集計されると共に、この集計値が残材１５ｃの総量として出力され（ステップＳ２３）、処理が終了する。
【００７０】
制御プログラム９には、基礎データ及び瓦データに基づいて残材１５ｃの量（重量又は体積）を算出する計算式等が含まれている。この場合、図２５のような瓦残材積算データテーブルに、残材１５ｃの総量（総重量又は総体積）を例えば「合計ＸＸＸｋｇ」又は「合計ＸＸＸｍ３」等として格納するようにしてもよい。また、上記の処理のいずれかの段階でキーボード等の入力装置５から例えば「ＹＹＹＹＹＹＹＹＹＹ」等の物件名を入力しておき、この物件名を例えば「Ｆ形瓦」等の瓦の種類や例えば「対称型」等の割り付け型と共に、瓦残材積算データテーブルに格納するようにしてもよい。
【００７１】
上記のように構成された瓦残材積算システム及び瓦残材積算プログラム１によれば、瓦を施工する前にあらかじめ切断瓦１５ａの切断後の実寸を算出できると共に、残材１５ｃの総量を見積もることができるので、残材１５ｃを産業廃棄物として処理する場合でも、処理コスト管理を行い易いという利点がある。また、残材１５ｃを適宜の粒径に粉砕して粉砕物とし、この粉砕物を例えば埋め立て材等としてリサイクルする場合は、残材１５ｃの総量を埋め立て材等の製品出荷量として見積もることができる。
【００７２】
ここで、図２６に示すように、残材１５ｃの総量を出力（ステップＳ２３）した後、必要に応じて、制御プログラム９の指令を受けたＣＰＵ３により、残材１５ｃの全量を粉砕してなる粉砕物を粒径により複数種に分別した分別粉砕物の量を残材１５ｃの総量に基づいて各分別粉砕物ごとに算出する手順（ステップＳ２４）と、各分別粉砕物の量をそれぞれ出力する手順（ステップＳ２５）とを実行させるように構成すれば、各分別粉砕物をリサイクルする場合におけるそれぞれの製品出荷量を見積もることができるという利点がある。
【００７３】
粉砕物は、粒径により例えば、１ｍｍ未満、１ｍｍ以上３ｍｍ未満、３ｍｍ以上の３種の分別粉砕物に分別できる。制御プログラム９には、複数種の分別粉砕物の量比（重量比又は体積比）及び残材１５ｃ（粉砕物）の総量に基づいて分別粉砕物の量（重量又は体積）を算出する計算式等が含まれている。この場合、図２５のような瓦残材積算データテーブルに、分別粉砕物の粒径を例えば「φ＜１ｍｍ」、「１≦φ＜３ｍｍ」、「φ≧３ｍｍ」等とし、各分別粉砕物の量を例えば「ＸＸＸｋｇ」又は「ＸＸＸｍ３」等としてそれぞれ格納するようにしてもよい。なお、分別粉砕物への分別は３種に限定されるものではなく、適当な粒径により２種や４種以上に分別することもできる。
【００７４】
また、図２６に示すように、各分別粉砕物の量をそれぞれ出力（ステップＳ２５）した後、必要に応じて、制御プログラム９の指令を受けたＣＰＵ３により、分別粉砕物から製造されるリサイクル品の量を分別粉砕物の量に基づいて各分別粉砕物ごとに算出する手順（ステップＳ２６）と、各リサイクル品の量をそれぞれ出力する手順（ステップＳ２７）とを実行させるように構成すれば、分別粉砕物から適宜のリサイクル品を製造する場合における各リサイクル品の製品出荷量をそれぞれ見積もることができるという利点がある。
【００７５】
リサイクル品としては、分別粉砕物の粒径が例えば１ｍｍ未満の場合は、南蛮漆喰用原料、Ｕ字溝・路側帯用Ｌ字ブロック・植木鉢・プランター・インターロッキングブロック等のセメントブロック又はセメント製品等が挙げられる。南蛮漆喰用原料は、粒径が１ｍｍ未満の分別粉砕物に、消石灰、すさ等を適宜の割合で添加、混合すれば製造できる。セメントブロック又はセメント製品は、粒径が１ｍｍ未満の分別粉砕物に、セメント、水分、添加剤等を適宜の割合で添加、混練して注型成形、プレス成形、遠心成形、又は押出成形、及び養生等を行えば製造できる。
【００７６】
分別粉砕物の粒径が例えば１ｍｍ以上３ｍｍ未満の場合、リサイクル品としては、例えば苗床土等の育苗資材等が挙げられる。育苗資材は、粒径が１ｍｍ以上３ｍｍ未満の分別粉砕物に、化成肥料、有機肥料、腐葉土、造粒剤、水分等を適宜の割合で添加、混合して粒状等に成形、乾燥等すれば製造できる。
【００７７】
分別粉砕物の粒径が例えば３ｍｍ以上の場合、リサイクル品としては、例えば、建物の基礎用の捨石、道路用骨材等の土木建築資材等が挙げられる。土木建築資材は、粒径が３ｍｍ以上の分別粉砕物に、セメント、リグニン酸塩、ステアリン酸塩等の固形化材、水分等を適宜の割合で添加、混合して粒状等に成形、養生等すれば製造できる。
【００７８】
制御プログラム９には、分別粉砕物の単位量当たりのリサイクル品の量（重量、体積、又は数量）及び分別粉砕物の量（重量又は体積）に基づいてリサイクル品の量を各分別粉砕物ごとに算出する計算式等が含まれている。この場合、図２５のような瓦残材積算データテーブルに、各リサイクル品の量を例えば「ＸＸＸｋｇ」、「ＸＸＸｍ３」、又は「ＸＸＸ個」等としてそれぞれ格納するようにしてもよい。また、各分別粉砕物につき、２種以上のリサイクル品の量をそれぞれ出力し、瓦残材積算データテーブルに格納するようにしてもよい。
【００７９】
ここで、図２７に示すように、既述のステップＳ２４〜Ｓ２７の代わりに、残材１５ｃの総量を出力（ステップＳ２３）した後、必要に応じて、制御プログラム９の指令を受けたＣＰＵ３により、入力装置５により施工の種類として葺き替えが選択されたときに（ステップＳ２８でＹＥＳ）、瓦施工面ＣＡＤデータ３５に含まれている複数の瓦施工面３６ａ，３６ｂの面積をそれぞれ算出して集計する手順（ステップＳ２９）と、ファイル装置２にあらかじめ記録された元葺きデータファイルから、入力装置５から入力（ステップＳ３０）された元葺き瓦の種類に応じた元葺きデータを読み出す手順（ステップＳ３１）と、元葺きデータ及び瓦施工面３６ａ，３６ｂの総面積に基づいて元葺き量を算出する手順（ステップＳ３２）と、元葺き量を出力する手順（ステップＳ３３）とを実行させるように構成すれば、瓦を葺き替える場合における元葺き量を見積もることができるという利点がある。
【００８０】
入力装置５により施工の種類として新築が選択（ステップＳ２８でＮＯ）された場合は、ステップＳ２４に進み、既述の処理が実行される。
【００８１】
なお、元葺き量とは、瓦の葺き替え前に既に施工されていた元葺き瓦（古瓦）及びそれを施工するために使用されていた元葺き土（古土）の総量（総重量又は総体積）をいう。この場合も、ＧＵＩ環境におけるプルダウンメニュー等に割り当てられた施工の種類や元葺き瓦の種類をマウス等により選択できるようにしておけば、簡単に入力できる。プルダウンメニュー等に割り当てる施工の種類としては、例えば「葺き替え」、「新築」等が挙げられる。同様に、元葺き瓦の種類としては、例えば「Ｆ形瓦」、「Ｊ形瓦」、「Ｓ形瓦」等が挙げられる。
【００８２】
元葺きデータファイルは、瓦施工面３６ａ，３６ｂの単位面積当たりの元葺き量が元葺き瓦の種類に対応付けてファイル装置に記録されている。制御プログラム９には、読み出された元葺きデータ及び瓦施工面３６ａ，３６ｂの総面積に基づいて元葺き量を算出する計算式等が含まれている。この場合、図２８のような瓦残材積算データテーブルに、元葺き量を例えば「ＸＸＸｋｇ」又は「ＸＸＸｍ３」等として格納するようにしてもよい。
【００８３】
また、図２７に示すように、元葺き量を出力（ステップＳ３３）した後、必要に応じて、制御プログラム９の指令を受けたＣＰＵ３により、残材１５ｃの総量と元葺き量を加算する手順（ステップＳ３４）と、この加算値を残材混合物の総量（総重量又は総体積）として出力する手順（ステップＳ３５）とを実行させるように構成すれば、葺き替えの場合における残材混合物の総量を見積もることができるという利点がある。
【００８４】
制御プログラム９には、残材１５ｃの総量と元葺き量を加算して加算値を算出する計算式等が含まれている。この場合、図２８のような瓦残材積算データテーブルに、残材混合物の総量を例えば「総合計ＸＸＸｋｇ」又は「総合計ＸＸＸｍ３」等として格納するようにしてもよい。
【００８５】
更に、図２７に示すように、残材混合物の総量を出力（ステップＳ３５）した後、必要に応じて、制御プログラム９の指令を受けたＣＰＵ３により、残材混合物の全量を粉砕してなる粉砕物を粒径により複数種に分別した分別粉砕物の量を残材混合物の総量に基づいて各分別粉砕物ごとに算出する手順（ステップＳ３６）と、各分別粉砕物の量をそれぞれ出力する手順（ステップＳ３７）とを実行させるように構成すれば、残材混合物からの各分別粉砕物の量をそれぞれ見積もることができるという利点がある。
【００８６】
残材混合物の粉砕物からの各分別粉砕物への分別の仕方、各分別粉砕物の量の見積もり、及びリサイクル品の量の見積もりは、既述と同様の手法及び構成により実行させることができる。即ち、制御プログラム９の指令を受けたＣＰＵ３により、分別粉砕物から製造されるリサイクル品の量を分別粉砕物の量に基づいて各分別粉砕物ごとに算出する手順（ステップＳ３８）と、各リサイクル品の量をそれぞれ出力する手順（ステップＳ３９）とを実行させるように構成することができる。
【００８７】
なお、図２９に示すように、既述のステップＳ２１〜Ｓ２３の代わりに、制御プログラム９の指令を受けたＣＰＵ３により、実寸補正データに基づいて基礎データを各切断瓦１５ａごとに算出する手順（ステップＳ４０）と、ファイル装置２にあらかじめ記録された瓦データファイルから、切断瓦１５ａ及び基礎データに応じた瓦データを各切断瓦１５ａごとに読み出す手順（ステップＳ４１）と、瓦データ及び実寸補正データに基づいて残材１５ｃの量を各切断瓦１５ａごとに算出して集計し、この集計値を残材１５ｃの総量として出力する手順（ステップＳ４２）とを実行させるように構成しても、既述と同様の利点がある。
【００８８】
基礎データとしては、例えば瓦ＣＡＤデータ３７の下辺ｂに対する隅棟線３３等の要素線の傾き等が挙げられる。制御プログラム９には、実寸補正データに基づいて要素線の傾き等を算出する計算式等が含まれている。
【００８９】
瓦データには、例えば所定の傾きにおける要素線の瓦ＣＡＤデータ３７内の上下位置に対する残材１５ｃの量を算出する計算式（検量線を示す数式）等が含まれている。瓦データファイルは、上記の計算式等が要素線の傾き等の基礎データ及び切断瓦１５ａに対応付けてファイル装置２に記録されている。制御プログラム９には、読み出された瓦データ及び実寸補正データに基づいて残材１５ｃの量を算出する計算式等が含まれている。
【００９０】
また、図３０に示すように、既述のステップＳ２１〜Ｓ２３の代わりに、制御プログラム９の指令を受けたＣＰＵ３により、ファイル装置２にあらかじめ記録された３次元瓦ＣＡＤデータファイルから切断瓦１５ａに応じた３次元瓦ＣＡＤデータを各切断瓦１５ａごとに読み出す手順（ステップＳ４３）と、３次元瓦ＣＡＤデータに基づいて各実寸補正データをそれぞれ補正し、各切断瓦１５ａごとに３次元実寸補正データを算出する手順（ステップＳ４４）と、ファイル装置２にあらかじめ記録された瓦データファイルから切断瓦１５ａに応じた瓦データを各切断瓦１５ａごとに読み出す手順（ステップＳ４５）と、３次元瓦ＣＡＤデータ、３次元実寸補正データ、及び瓦データに基づいて残材１５ｃの量を各切断瓦１５ａごとに算出して集計し、この集計値を残材１５ｃの総量として出力する手順（ステップＳ４７）とを実行させるように構成しても、既述と同様の利点がある。
【００９１】
３次元瓦ＣＡＤデータファイルは、実寸スケールで３次元的に描画された各種の３次元瓦ＣＡＤデータが切断瓦１５ａに対応付けてファイル装置に記録されている。制御プログラム９には、読み出された３次元瓦ＣＡＤデータに基づいて各実寸補正データをそれぞれ補正し、各切断瓦１５ａごとに３次元実寸補正データを算出する計算式等が含まれている。
【００９２】
瓦データには、例えば切断前の切断瓦１５ａの初期重量又は初期体積等が含まれている。瓦データファイルは、瓦データが切断瓦１５ａに対応付けてファイル装置２に記録されている。制御プログラム９には、読み出された瓦データ、３次元瓦ＣＡＤデータ、及び３次元実寸補正データに基づいて残材１５ｃの量を各切断瓦１５ａごとに算出して集計する計算式等が含まれている。
【００９３】
ここで、瓦データを各切断瓦１５ａごとに読み出した（ステップＳ４５）後、制御プログラム９の指令を受けたＣＰＵ３により、既述の瓦切断機を制御する制御装置へ３次元実寸補正データをＣＡＭデータとして転送する手順（ステップＳ４６）を実行させるように構成すれば、３次元ＣＡＤ／ＣＡＭシステムを利用して切断瓦１５ａの切断作業を自動的に実行させることができるという利点がある。
【００９４】
また、瓦残材積算プログラム１を記録したコンピュータ読み取り可能な記録媒体としておけば、瓦残材積算プログラム１を適宜のコンピュータのファイル装置に記録（インストール）して簡単に瓦残材積算システムを構築できるという利点がある。なお、記録媒体には、瓦残材積算プログラム１と共に、この瓦残材積算プログラム１をコンピュータのファイル装置に簡単に記録（インストール）するためのインストールプログラム等を記録しておくことができる。このような記録媒体としては、既述と同様、ＦＤ、ＣＤ−ＲＯＭ、ＣＤ−ＲＷ、ＣＤ−Ｒ、ＭＯ等の各種のものが挙げられる。
【００９５】
以上、この実施形態においては、実寸補正データや残材１５ｃの総量等を瓦残材積算プログラム１により算出する場合について説明したが、その他、メインメモリ４上から抽出した実寸データ等を上記と同様にして実寸補正データ等に補正等するための計算式等を含む表計算ソフト用のフォームを例えば瓦の種類や割り付け型等ごとにファイル装置２に記録しておき、瓦残材積算プログラム１により実寸データ等を算出した後はこのフォームを利用して表計算ソフト上で実寸補正データや残材１５ｃの総量等を算出するようにしてもよい。また、瓦残材積算プログラム１により作成された図２４のような瓦屋根積算データテーブルや図２５及び図２８のような瓦残材積算データテーブルを、ＣＳＶ（Ｃｏｍｍａ　Ｓｅｐａｒａｔｅｄ　Ｖａｌｕｅ）形式やＸＬＳ形式等の表計算ソフト用又はデータベースソフト用のファイル形式で保存できるようにしてもよい。
【００９６】
【発明の効果】
以上のように、請求項１、請求項２、請求項３、及び請求項１１の発明によれば、瓦を施工する前にあらかじめ切断瓦の切断後の実寸を算出できると共に、残材の総量を見積もることができるので、残材を産業廃棄物として処理する場合でも、処理コスト管理を行い易い。また、残材を適宜の粒径に粉砕して粉砕物とし、この粉砕物を例えば埋め立て材等としてリサイクルする場合は、残材の総量を埋め立て材等の製品出荷量として見積もることができる。
【００９７】
請求項４及び請求項１１の発明によれば、コンピュータに、瓦切断機を制御する制御装置へ３次元実寸補正データをＣＡＭデータとして転送する手順を実行させることもできるので、３次元ＣＡＤ／ＣＡＭシステムを利用して切断瓦の切断作業を自動的に実行させることができる。
【００９８】
請求項５及び請求項１１の発明によれば、コンピュータに、分別粉砕物の量を残材の総量に基づいて各分別粉砕物ごとに算出する手順と、各分別粉砕物の量をそれぞれ出力する手順とを実行させることもできるので、各分別粉砕物をリサイクルする場合におけるそれぞれの製品出荷量を見積もることができる。
【００９９】
請求項６及び請求項１１の発明によれば、コンピュータに、入力装置により施工の種類として葺き替えが選択されたときに、瓦施工面ＣＡＤデータに含まれている複数の瓦施工面の面積をそれぞれ算出して集計する手順と、元葺きデータファイルから元葺き瓦の種類に応じた元葺きデータを読み出す手順と、元葺きデータ及び瓦施工面の総面積に基づいて元葺き量を算出する手順と、元葺き量を出力する手順とを実行させることもできるので、瓦を葺き替える場合における元葺き量を見積もることができる。
【０１００】
請求項７及び請求項１１の発明によれば、コンピュータに、残材の総量と元葺き量を加算する手順と、この加算値を残材混合物の総量として出力する手順とを実行させることもできるので、葺き替えの場合における残材混合物の総量を見積もることができる。
【０１０１】
請求項８及び請求項１１の発明によれば、コンピュータに、分別粉砕物の量を残材混合物の総量に基づいて各分別粉砕物ごとに算出する手順と、各分別粉砕物の量をそれぞれ出力する手順とを実行させることもできるので、残材混合物からの各分別粉砕物の量をそれぞれ見積もることができる。
【０１０２】
請求項９及び請求項１１の発明によれば、コンピュータに、分別粉砕物から製造されるリサイクル品の量を分別粉砕物の量に基づいて各分別粉砕物ごとに算出する手順と、各リサイクル品の量をそれぞれ出力する手順とを実行させることもできるので、分別粉砕物から適宜のリサイクル品を製造する場合における各リサイクル品の製品出荷量をそれぞれ見積もることができる。
【０１０３】
請求項１０の発明によれば、瓦残材積算プログラムを記録したコンピュータ読み取り可能な記録媒体であるので、上記の効果に加え、瓦残材積算プログラムを適宜のコンピュータのファイル装置に記録（インストール）して簡単に瓦残材積算システムを構築できる。
【図面の簡単な説明】
【図１】実施形態に係る瓦残材積算システムのシステム構成図。
【図２】Ｆ形瓦の表側を示す斜視図。
【図３】Ｆ形瓦の裏側を示す斜視図。
【図４】Ｆ形瓦の施工例を示す斜視図。
【図５】Ｆ形瓦を施工した状態を示す要部拡大縦断面図。
【図６】屋根の隅棟部付近を示す斜視図。
【図７】瓦残材積算プログラムによる処理の手順の一例を示すフローチャート。
【図８】瓦残材積算プログラムによる処理の手順の一例を示すフローチャート。
【図９】瓦残材積算プログラムによる処理の手順の一例を示すフローチャート。
【図１０】屋根伏せ補正ＣＡＤデータを表示装置の画面上に表示した状態を示す説明図。
【図１１】瓦施工面ＣＡＤデータを示す説明図。
【図１２】瓦ＣＡＤデータを示す説明図。
【図１３】台形の瓦施工面に瓦ＣＡＤデータを割り付けた状態を示す説明図。
【図１４】三角形の瓦施工面に瓦ＣＡＤデータを割り付けた状態を示す説明図。
【図１５】台形の瓦施工面における隅棟線の左下側付近の要部拡大説明図。
【図１６】台形の瓦施工面における隅棟線の左上側付近の要部拡大説明図。
【図１７】台形の瓦施工面における隅棟線の右下側付近の要部拡大説明図。
【図１８】切断瓦番号が「１」である瓦ＣＡＤデータの説明図。
【図１９】切断瓦番号が「２」である瓦ＣＡＤデータの説明図。
【図２０】切断瓦番号が「４」である瓦ＣＡＤデータの説明図。
【図２１】切断瓦番号が「３９」である瓦ＣＡＤデータの説明図。
【図２２】切断瓦番号が「４０」である瓦ＣＡＤデータの説明図。
【図２３】切断瓦番号が「８６」である瓦ＣＡＤデータの説明図。
【図２４】瓦屋根積算データテーブルの一例を示す説明図。
【図２５】瓦残材積算データテーブルの一例を示す説明図。
【図２６】瓦残材積算プログラムによる処理の手順の他例を示すフローチャート。
【図２７】瓦残材積算プログラムによる処理の手順の他例を示すフローチャート。
【図２８】瓦残材積算データテーブルの他例を示す説明図。
【図２９】瓦残材積算プログラムによる処理の手順の他例を示すフローチャート。
【図３０】瓦残材積算プログラムによる処理の手順の他例を示すフローチャート。
【符号の説明】１　瓦残材積算プログラム
２　ファイル装置
５　入力装置
６　表示装置
６ａ　画面
１０　瓦施工面補正ルールファイル
１１　割り付けルールファイル
１２　瓦ＣＡＤデータファイル
１３　実寸算出ルールファイル
１４　実寸補正ルールファイル
１５Ｄ　瓦データファイル
１５　Ｆ形瓦（瓦）
１５ａ　切断瓦
１５ｃ　残材
１６　屋根
１６ａ　隅棟部
３１　屋根伏せ補正ＣＡＤデータ
３２　陸棟線（要素線）
３３　隅棟線（要素線）
３４　軒瓦線（要素線）
３５　瓦施工面ＣＡＤデータ
３６ａ，３６ｂ　瓦施工面
３７　瓦ＣＡＤデータ
Ｎ　切断瓦番号
【図１】
2004054506.tif 000003
【図２】
2004054506.tif 000004
【図３】
2004054506.tif 000005
【図４】
2004054506.tif 000006
【図５】
2004054506.tif 000007
【図６】
2004054506.tif 000008
【図７】
2004054506.tif 000009
【図８】
2004054506.tif 000010
【図９】
2004054506.tif 000011
【図１０】
2004054506.tif 000012
【図１１】
2004054506.tif 000013
【図１２】
2004054506.tif 000014
【図１３】
2004054506.tif 000015
【図１４】
2004054506.tif 000016
【図１５】
2004054506.tif 000017
【図１６】
2004054506.tif 000018
【図１７】
2004054506.tif 000019
【図１８】
2004054506.tif 000020
【図１９】
2004054506.tif 000021
【図２０】
2004054506.tif 000022
【図２１】
2004054506.tif 000023
【図２２】
2004054506.tif 000024
【図２３】
2004054506.tif 000025
【図２４】
2004054506.tif 000026
【図２５】
2004054506.tif 000027
【図２６】
2004054506.tif 000028
【図２７】
2004054506.tif 000029
【図２８】
2004054506.tif 000030
【図２９】
2004054506.tif 000031
【図３０】
2004054506.tif 000032